(57)【要約】      （修正有）【課題】容器の蓋の裏面側の円形状の凹溝のような部位でも清掃し易い清掃用具を提供する。【解決手段】清掃用具Ｓは、複数のブラシ１と、複数のブラシを保持するブラシ保持部２とを備え、ブラシ保持部は、複数あり、複数のブラシ保持部は並設されると共に、隣接するブラシ保持部は接続部材３で接続され、接続部材は、ブラシ保持部の長手方向Ｎに平行な回動中心を有している。【選択図】図１
0003215578.tif 000002
【実用新案登録請求の範囲】
【請求項１】
複数のブラシと、
この複数のブラシを保持するブラシ保持部とを備え、
前記ブラシ保持部は、複数あり、
複数の前記ブラシ保持部は並設されると共に、隣接する前記ブラシ保持部は接続部材で接続され、
この接続部材は、前記ブラシ保持部の長手方向に平行な回動中心を有している
ことを特徴とする清掃用具。
【請求項２】
複数のブラシと、
この複数のブラシを保持するブラシ保持部とを備え、
前記ブラシ保持部は、複数あり、
複数の前記ブラシ保持部は並設されると共に、隣接する前記ブラシ保持部は接続部材で接続され、
この接続部材は、前記ブラシ保持部の肉厚より薄肉、又は、前記ブラシ保持部より柔らかいと共に、前記ブラシ保持部の長手方向に平行な回動中心を有している
ことを特徴とする清掃用具。
【請求項３】
複数のブラシと、
この複数のブラシを保持するブラシ保持部とを備え、
前記ブラシ保持部は、複数あり、
複数の前記ブラシ保持部は並設され、
隣接する前記ブラシ保持部は、接続部材で回動自在に支持されると共に、接続され、
前記接続部材は、前記ブラシ保持部の長手方向に平行な回動中心を有している
ことを特徴とする清掃用具。
【請求項４】
被清掃部が凹状の円周溝の場合、前記凹状の円周溝に複数のブラシの先端が当接すると共に、複数のブラシ保持部が前記円周溝の円周に沿って変形する
ことを特徴とする請求項１〜３のいずれかに記載の清掃用具。  
【請求項５】
被清掃部が凹部内の平坦面の場合、複数のブラシ保持部を丸めて前記凹部内の平坦面に前記複数のブラシの先端が当接すると共に、前記複数のブラシ保持部が丸まるように変形する
ことを特徴とする請求項１〜３のいずれかに記載の清掃用具。  
【請求項６】
複数のブラシ保持部の内、中央に位置するブラシ保持部の中途に穴を設け、この穴は、ブラシの取付部位に近い側の端部より遠い側の前記ブラシ保持部の端部に近い側に位置し、前記穴を引っ掛け係止部として利用する
ことを特徴とする請求項１〜３のいずれかに記載の清掃用具。  
【請求項７】
ブラシ保持部と接続部材は、一体に形成又は別体に形成のいずれかである
ことを特徴とする請求項１記載の清掃用具。  
【考案の詳細な説明】
【技術分野】
【０００１】
本考案は、清掃用具に係り、特に、清掃し易い清掃用具に関する。
【背景技術】
【０００２】
従来、台所まわりの隅々、浴室のタイル目地、浴室の隅々、網戸、サッシ、敷居の掃除等、広範囲に使用出来る垂直ブラシの掃除具がある（特許文献１参照）。
この掃除具にあっては、ブラシ（１）の根元に柄（２）を垂直につけた掃除具でキッチンの油汚れ、焼きアミ、ガス受け皿を初め、浴室のタイル目地、敷居等すみずみの掃除に多方面に利用出来るようにしている。
【先行技術文献】
【特許文献】
【０００３】
【特許文献１】特開２０００−５０９５６号公報
【考案の概要】
【考案が解決しようとする課題】
【０００４】
ところが、被掃除部が、例えば、容器の蓋の裏面側の円形状の凹溝のような場合、上記ブラシ（１）では、大きすぎて円形状の凹溝に沿うようにブラシ（１）を変形して配置することができず、清掃しにくいという問題点が生じた。
【０００５】
本考案は、上記の問題点を考慮してなされた清掃用具を提供することにある。
【課題を解決するための手段】
【０００６】
請求項１記載の清掃用具は、複数のブラシと、この複数のブラシを保持するブラシ保持部とを備え、前記ブラシ保持部は、複数あり、複数の前記ブラシ保持部は並設されると共に、隣接する前記ブラシ保持部は接続部材で接続され、この接続部材は、前記ブラシ保持部の長手方向に平行な回動中心を有している
ものである。
【０００７】
また、請求項２記載の清掃用具は、複数のブラシと、この複数のブラシを保持するブラシ保持部とを備え、前記ブラシ保持部は、複数あり、複数の前記ブラシ保持部は並設されると共に、隣接する前記ブラシ保持部は接続部材で接続され、この接続部材は、前記ブラシ保持部の肉厚より薄肉、又は、前記ブラシ保持部より柔らかいと共に、前記ブラシ保持部の長手方向に平行な回動中心を有しているものである。
【０００８】
また、請求項３記載の清掃用具は、複数のブラシと、この複数のブラシを保持するブラシ保持部とを備え、前記ブラシ保持部は、複数あり、複数の前記ブラシ保持部は並設され、隣接する前記ブラシ保持部は、接続部材で回動自在に支持されると共に、接続され、前記接続部材は、前記ブラシ保持部の長手方向に平行な回動中心を有しているものである。
【０００９】
また、請求項４記載の清掃用具は、請求項１〜３のいずれかに記載の清掃用具において、被清掃部が凹状の円周溝の場合、前記凹状の円周溝に複数のブラシの先端が当接すると共に、複数のブラシ保持部が前記円周溝の円周に沿って変形するものである。
【００１０】
また、請求項５記載の清掃用具は、請求項１〜３のいずれかに記載の清掃用具において、被清掃部が凹部内の平坦面の場合、複数のブラシ保持部を丸めて前記凹部内の平坦面に前記複数のブラシの先端が当接すると共に、前記複数のブラシ保持部が丸まるように変形するものである。
【００１１】
また、請求項６記載の清掃用具は、請求項１〜３のいずれかに記載の清掃用具において、複数のブラシ保持部の内、中央に位置するブラシ保持部の中途に穴を設け、この穴は、ブラシの取付部位に近い側の端部より遠い側の前記ブラシ保持部の端部に近い側に位置し、前記穴を引っ掛け係止部として利用するものである。
【００１２】
また、請求項７記載の清掃用具は、請求項１記載の清掃用具において、ブラシ保持部と接続部材は、一体に形成又は別体に形成のいずれかである。
【考案の効果】
【００１３】
請求項１記載の清掃用具によれば、複数のブラシ保持部は並設されると共に、隣接するブラシ保持部は接続部材で接続され、この接続部材は、ブラシ保持部の長手方向に平行な回動中心を有しているため、被清掃部が凹状の円周溝の場合、凹状の円周溝に複数のブラシの先端が当接すると共に、ブラシ保持部が円周溝の円周に沿って変形して清掃し易く、また、被清掃部が凹部内の平坦面の場合、凹部内の平坦面に複数のブラシの先端が当接すると共に、ブラシ保持部が丸まるように変形して清掃し易い等の効果を有する。
【００１４】
また、請求項２記載の清掃用具によれば、複数のブラシ保持部は並設されると共に、隣接するブラシ保持部は接続部材で接続され、この接続部材は、前記ブラシ保持部の肉厚より薄肉、又は、前記ブラシ保持部より柔らかいと共に、前記ブラシ保持部の長手方向に平行な回動中心を有しているため、被清掃部が凹状の円周溝の場合、凹状の円周溝に複数のブラシの先端が当接すると共に、ブラシ保持部が円周溝の円周に沿って変形して清掃し易く、また、被清掃部が凹部内の平坦面の場合、凹部内の平坦面に複数のブラシの先端が当接すると共に、ブラシ保持部が丸まるように変形して清掃し易い等の効果を有する。
【００１５】
また、請求項３記載の清掃用具によれば、複数のブラシ保持部は並設され、隣接するブラシ保持部は、接続部材で回動自在に支持されると共に、接続され、接続部材は、ブラシ保持部の長手方向に平行な回動中心を有しているため、被清掃部が凹状の円周溝の場合、凹状の円周溝に複数のブラシの先端が当接すると共に、ブラシ保持部が円周溝の円周に沿って変形して清掃し易く、また、被清掃部が凹部内の平坦面の場合、凹部内の平坦面に複数のブラシの先端が当接すると共に、ブラシ保持部が丸まるように変形して清掃し易い等の効果を有する。
【００１６】
また、請求項４記載の清掃用具によれば、上述した請求項１〜３のいずれかに記載の考案の効果に加え、複数のブラシ保持部の内、中央に位置するブラシ保持部の中途に穴を設け、この穴は、ブラシの取付部位に近い側の端部より遠い側の前記ブラシ保持部の端部に近い側に位置し、前記穴を引っ掛け係止部として利用するため、例えば、引っ掛け係止部にフック等を使って、清掃終了後、清掃用具を保管することができる。
【図面の簡単な説明】
【００１７】
【図１】図１は、本考案の一実施例の清掃用具を撮影した写真である。
【図２】図２は、図１の清掃用具の一使用態様を撮影した写真である。
【図３】図３は、図２と異なる使用態様を撮影した写真である。
【図４】図４は、図１の清掃用具と異なる他の実施例の清掃用具の概略的正面図である。
【図５】図５は、図４の清掃用具の一使用態様を示した概略的斜視図である。
【考案を実施するための形態】
【００１８】
本考案の一実施例の清掃用具を図１乃至図３を参照して説明する。
図１に示すＳは、弁当箱、水筒、スープジャー、プラスチック容器、ほ乳びん飲み口、ベビーマグ等に好適な清掃用具で、清掃用具Ｓは、複数のブラシ１と、この複数のブラシ１を保持するブラシ保持部２とを備えている。
ブラシ保持部２は、複数あって、複数のブラシ保持部２、２、２、２、２は並設されると共に、隣接するブラシ保持部２、２は接続部材３で接続され、この接続部材３、３、３、３は、ブラシ保持部２の長手方向Ｎに平行な回動中心を有している。
接続部材３、３、３、３は、ブラシ保持部２、２、２、２、２より柔らかいものでも良いが、接続部材３、３、３、３とブラシ保持部２、２、２、２、２を同じ素材で形成し、接続部材３、３、３、３を薄肉、つまり、接続部材３、３、３、３の肉厚をブラシ保持部の肉厚より薄肉（接続部材３、３、３、３の厚みをブラシ保持部２、２、２、２、２の長手方向を横断する最大厚みより小さく）にして、清掃用具Ｓが図２及び図３に示すように、接続部材３を介して曲がるように、接続部材３にブラシ保持部２の長手方向Ｎに平行な回動中心を有するようにしている。
【００１９】
従って、上述した清掃用具Ｓによれば、複数のブラシ保持部２、２、２、２、２は並設されると共に、隣接するブラシ保持部２、２は接続部材３、３、３、３で接続され、この接続部材３、３、３、３は、ブラシ保持部２、２、２、２、２の長手方向Ｎに平行な回動中心を有しているため、被清掃部が凹状の円周溝の場合、図２に示すように、凹状の円周溝４に複数のブラシ１、１、１、１、１の先端が当接すると共に、ブラシ保持部２、２、２、２、２が円周溝４の円周に沿って変形して清掃し易く、また、被清掃部が凹部内の平坦面の場合、図３に示すように、凹部内の平坦面５に複数のブラシ１、１、１、１、１の先端が当接すると共に、ブラシ保持部２、２、２、２、２が丸まるように変形して清掃し易い等の効果を有する。
【００２０】
なお、上述した清掃用具Ｓにおいては、ブラシ保持部２、２、２、２、２を並設すると共に、隣接するブラシ保持部２を薄肉の接続部材３又は柔軟な接続部材３（ブラシ保持部２を接続部材３より硬く形成）を介して接続している。
本願考案にあっては、上述した記載に限らず、図示しないが、図１記載の接続部材３の代わりに図示しない時計のベルトのようなピンにより、隣接するブラシ保持部２、２を回動自在に接続するようにしても良い（この場合、ピンが本願考案の接続部材に該当する。）し、また、清掃用具Ｓ全体が変形するように、ブラシ保持部２を接続部材３とを一体形成すると共に、ブラシ保持部２を接続部材３と同じように柔軟に形成しても良い。
【００２１】
また、図１乃至図３記載の清掃用具Ｓにおいては、ブラシ保持部２と接続部材３は、一体に形成したが、ブラシ保持部２と接続部材３を別体に形成し、図示しないが、隣接する一方のブラシ保持部２に凸部、この凸部に遊嵌（遊びがある状態で嵌めること）する凹部を隣接する他方のブラシ保持部２に、それぞれ設けて、この凹部と前記凸部で接続部材（この場合、凹部と凸部が本願考案の接続部材に該当する。）を構成するようにしても良い。
【００２２】
また、図１に示すように、複数のブラシ保持部２、２、２、２、２の内、中央に位置するブラシ保持部２の中途に穴２Ａを設け、この穴２Ａは、ブラシ１の取付部位に近い側の端部２Ｂより遠い側のブラシ保持部２の端部２Ｃに近い側に位置し、穴２Ａを引っ掛け係止部として利用する。
そのため、例えば、引っ掛け係止部２Ａに図示しないフック等を使って、清掃終了後、清掃用具Ｓを保管することができる（引っ掛け係止部２Ａを設けることは、他の実施例においても同様である。）。
【００２３】
上述の図１乃至図３記載の清掃用具Ｓにあっては、隣接するブラシ保持部２を柔軟な接続部材３で接続するようにしたが、本願考案にあっては、これに限らず、図４及び図５記載の清掃用具Ｓでも良い。
【００２４】
即ち、清掃用具Ｓは、複数のブラシ１と、この複数のブラシ１を保持するブラシ保持部２ととを備えている。
ブラシ保持部２は、複数あって、複数のブラシ保持部２、２、２、２、２は並設され、隣接するブラシ保持部２、２は、接続部材６で回動自在に支持されると共に、接続されている。接続部材３’は、ブラシ保持部２の長手方向Ｎに平行な回動中心を有している。
【００２５】
即ち、隣接する一方のブラシ保持部２に対向するように第１の穴２１、２１が、隣接する他方のブラシ保持部２に対向するように第２の穴２２、２２が、それぞれ設けられている。
隣接する一方のブラシ保持部２の中途に、正面視、逆コ字形状の切り欠きを設け、該切り欠きの天井面に（上方の）第１の穴２１、前記切り欠きの底面に（下方の）第１の穴２１を設けている。
また、隣接する他方のブラシ保持部２の中途に、正面視、コ字形状の切り欠きを設け、該切り欠きの天井面に（上方の）第２の穴２２、前記切り欠きの底面に（下方の）第２の穴２２を設けている。
【００２６】
そして、接続部材３’には、第１の穴２１、２１に係合する第１の突起３１、３１、第１の穴２２、２２に係合する第２の突起３２、３２が設けられ、接続部材３’が隣接するブラシ保持部２、２を回動自在に支持すると共に、隣接するブラシ保持部２、２を接続している。
なお、図示しないが、図４とは、逆に、接続部材３’に第１、第２の穴を、隣接するブラシ保持部２、２に第１、第２の穴に係合する第１、第２の突起を、それぞれ設けるようにしても良い。
【００２７】
従って、図４及び図５記載の清掃用具Ｓによれば、複数のブラシ保持部２、２、２、２、２は並設され、隣接するブラシ保持部２、２は、接続部材３’で回動自在に支持されると共に、接続され、接続部材３’は、ブラシ保持部２の長手方向Ｎ  に平行な回動中心を有しているため、被清掃部が凹状の円周溝の場合、図５に示すように、凹状の円周溝４に複数のブラシ１、１、１、１、１の先端が当接すると共に、隣接するブラシ保持部２、２が円周溝の円周に沿って変形して清掃し易く、また、被清掃部が凹部内の平坦面の場合（例えば、図３記載の場合）、図３記載と同様に、凹部内の平坦面に複数のブラシ１、１、１、１、１の先端が当接すると共に、ブラシ保持部２、２、２、２、２が丸まるように変形して清掃し易い等の効果を有する。
【符号の説明】
【００２８】
Ｓ      清掃用具
１      ブラシ
２      ブラシ保持部
３      接続部材
Ｎ      長手方向
【図１】
0003215578.tif 000003
【図２】
0003215578.tif 000004
【図３】
0003215578.tif 000005
【図４】
0003215578.tif 000006
【図５】
0003215578.tif 000007